(57)【要約】      （修正有）【課題】コネクタを大きくすることなく、インピーダンスを整合することができるコネクタを提供すること。【解決手段】コネクタにおいて、コンタクト群は、信号コンタクト１０ａ，ｃ，ｄ，ｆ，ｇと、グランドコンタクト１０ｂ，ｅ，ｈとを備え、グランドコンタクト１０ｂ，ｅ，ｈの両隣りに信号コンタクト１０ａ，ｃ，ｄ，ｆ，ｇを配置する。信号コンタクト１０ａ，ｃ，ｄ，ｆ，ｄとグランドコンタクト１０ｂ，ｅ，ｈは、相手側コンタクトと接続する接触部１１と、接続対象物と接続する端子部１３とを夫々有する。前記コンタクト群の夫々のコンタクトの端子部間のピッチ間隔を同一に配置し、信号コンタクト１０ａ，ｃ，ｄ，ｆ，ｇの接触部１１をグランドコンタクト１０ｂ，ｅ，ｈの接触部１１に向かって近づけることにより、隣接する信号コンタクト１０ａ，ｃ，ｄ，ｆ，ｇの接触部１１間のピッチ間隔が端子部１３間のピッチ間隔に対し広がるようにした。【選択図】図６
2005149770.tif 000002
【特許請求の範囲】
【請求項１】
コンタクト群と前記コンタクト群を保持するインシュレータとを備えたコネクタにおいて、
前記コンタクト群は、信号コンタクトと、グランドコンタクトとを備え、前記グランドコンタクトの両隣り又は一方の隣に前記信号コンタクトを配置するとともに、前記信号コンタクトと前記グランドコンタクトは、相手側コンタクトと接続する接触部と、接続対象物と接続する端子部とを夫々有し、
前記コンタクト群の夫々のコンタクトの端子部間のピッチ間隔を同一に配置し、
前記信号コンタクトの接触部を前記グランドコンタクトの接触部に向かって近づけるか又は遠ざけることを特徴とするコネクタ。
【請求項２】
請求項１記載のコネクタにおいて、前記信号コンタクトの接触部を前記グランドコンタクトの接触部に近づける代りに、前記信号コンタクトの接触部の幅を前記グランドコンタクト側に向けて広げることにより、隣接する信号コンタクトの接触部間のピッチ間隔が端子部間のピッチ間隔に対し広がるようにしたことを特徴とするコネクタ。
【請求項３】
コンタクト群と前記コンタクト群を保持するインシュレータとを備えたコネクタにおいて、
前記コンタクト群は２つのグランドコンタクトと前記２つのグランドコンタクト間に配置された一対の信号コンタクトとからなり、
前記夫々のコンタクトは、相手側コンタクトと接続する接触部と、接続対象物と接続する端子部とを有し、
前記コンタクト群は、夫々のコンタクトの端子部間のピッチ間隔を同一に配置し、前記一対の信号コンタクトの夫々の接触部を相手側の接触部に向けて近づけることにより、
前記一対の信号コンタクトの接触部間のピッチ間隔が、端子部間のピッチ間隔に対して狭くなるようにしたことを特徴とするコネクタ。
【請求項４】
請求項３記載のコネクタにおいて、前記一対の信号コンタクトの夫々の接触部を近づける代りに、夫々の信号コンタクトの接触部の幅を信号コンタクト側に向けて広げることにより、一対の信号コンタクトの接触部間のピッチ間隔が端子部間のピッチ間隔に対して狭くなるようにしたことを特徴とするコネクタ。
【請求項５】
コンタクト群と前記コンタクト群を保持するインシュレータとを備えたコネクタにおいて、
前記コンタクト群は、信号コンタクトと、グランドコンタクトとを備え、
前記夫々のコンタクトは、相手側コンタクトと接続する接触部と、接続対象物と接続する端子部とを備え、前記夫々のコンタクトの端子部間と接触部間のピッチ間隔を同一に配置し、前記信号コンタクトの接触部をグランドコンタクトの接触部に対し、ピッチ方向と交差する方向にずらして配置したことを特徴とするコネクタ。
【発明の詳細な説明】
【技術分野】
【０００１】
本発明は、電気特性、例えば、ＬＶＤＳ，ＴＭＤＳ，ＰＣＩエクスプレス伝送等の高速のために、インピーダンスマッチングを必要とするコネクタに関し、詳しくは、基板に半田付け等の接合をする接合部と相手側コネクタ、ＦＰＣ、又はＰＣＢと接触する嵌合部を持つコネクタに関する。
【背景技術】
【０００２】
従来、基板間を接続するためのコネクタとして、特許文献１に示されたコネクタがある。特許文献１に示されたコネクタは、２枚の基板を互いに垂直になるように接続するためのコネクタで大型な構造を備えている。
【０００３】
基板間を接続するには、夫々互いの基板にソケットコネクタ及びプラグコネクタを設け、互いに嵌合することで、接続している。
【０００４】
しかし、プリント基板間を接続するコネクタは、電気信号が高周波となる分野においては、高周波における特性を満足することが要求される。また、高密度実装化の要求もますます増えつつあり、そのためにコンタクトの狭ピッチ化も要求されつつある。
【０００５】
従来の高速信号伝送コネクタにおいては、電気特性、例えば、差動伝送時のインピーダンスを整合させる目的で、対となる信号コンタクトとの距離である端子間のピッチをある程度大きくしなければならず、コネクタとしては大型となってしまうという欠点があった。
【０００６】
また、この種のコネクタにおいて、対となる信号コンタクトの間に敢えて電気を流さないダミーの端子を設けて、対となる信号コンタクト同士の距離を稼ぎ、インピーダンスを整合させる例もあるが、その分無駄な端子もしくはコンタクトが入るため、高価なコネクタとなってしまうことが欠点として挙げられる。
【０００７】
一方、電気特性の中で、インピーダンス特性としては、狭ピッチ化とは相反するところがあり、電気特性を優先すると、コネクタのピッチが大きくなり、コネクタ自体の大きさも大きくなってしまうという欠点があった。
【０００８】
また、逆に狭ピッチ化を優先すると、電気的特性の整合が取れなくなってしまうことが欠点として挙げられる。
【特許文献１】特表２００１−５１１３００号公報
【発明の開示】
【発明が解決しようとする課題】
【０００９】
そこで、本発明の一技術的課題は、コネクタを大型にすることなく、インピーダンスを整合することができるコネクタを提供することにある。
【００１０】
また、本発明のもう一つの技術的課題は、コネクタにおいて、コンタクトの端子部となる半田付け部のピッチを変えずに、インピーダンスを整合させることができる安価なコネクタを提供することにある。
【課題を解決するための手段】
【００１１】
本発明によれば、コンタクト群と前記コンタクト群を保持するインシュレータとを備えたコネクタにおいて、前記コンタクト群は、信号コンタクトと、グランドコンタクトとを備え、前記グランドコンタクトの両隣り又は一方の隣に前記信号コンタクトを配置するとともに、前記信号コンタクトと前記グランドコンタクトは、相手側コンタクトと接続する接触部と、接続対象物と接続する端子部とを夫々有し、前記コンタクト群の夫々のコンタクトの端子部間のピッチ間隔を同一に配置し、前記信号コンタクトの接触部を前記グランドコンタクトの接触部に向かって近づけるか又は遠ざけることを特徴とするコネクタが得られる。
【００１２】
ここで、本発明において、接続対称物とは基板、ＦＰＣ，シリコン等を呼び、コンタクトの端子部とはその対象物に接触する部分を呼ぶ。また、ピッチ間隔同一とは、対称物への半田付け、結線に対して同じ条件で装着可能な状態を呼び、例えば、接地する部分の高さ方向が同一、幅方向が同じかそれに準じる状態、先端が揃っているなどの状態を呼ぶ。
【００１３】
また、本発明によれば、前記コネクタにおいて、前記信号コンタクトの接触部を前記グランドコンタクトの接触部に近づける代りに、前記信号コンタクトの接触部の幅を前記グランドコンタクト側に向けて広げることにより、隣接する信号コンタクトの接触部間のピッチ間隔が端子部間のピッチ間隔に対し広がるようにしたことを特徴とするコネクタが得られる。
【００１４】
ここで、本発明において、前記接続対象物は配線基板であり、前記端子部はこの配線基板に半田付けされる半田付け部であることが好ましい。
【００１５】
また、本発明によれば、コンタクト群と前記コンタクト群を保持するインシュレータとを備えたコネクタにおいて、前記コンタクト群は２つのグランドコンタクトと前記２つのグランドコンタクト間に配置された一対の信号コンタクトとからなり、前記夫々のコンタクトは、相手側コンタクトと接続する接触部と、接続対象物と接続する端子部とを有し、前記コンタクト群は、夫々のコンタクトの端子部間のピッチ間隔を同一に配置し、前記一対の信号コンタクトの夫々の接触部を相手側の接触部に向けて近づけることにより、前記一対の信号コンタクトの接触部間のピッチ間隔が、端子部間のピッチ間隔に対して狭くなるようにしたことを特徴とするコネクタが得られる。
【００１６】
ここで、本発明において、前記接続対象物は配線基板であり、前記端子部はこの配線基板に半田付けされる半田付け部であることが好ましい。
【００１７】
また、本発明によれば、前記コネクタにおいて、一対の信号コンタクトの夫々の接触部を近づける代りに、夫々の信号コンタクトの接触部の幅を信号コンタクト側に向けて広げることにより、一対の信号コンタクトの接触部間のピッチ間隔が端子部間のピッチ間隔に対して狭くなるようにしたことを特徴とするコネクタが得られる。
【００１８】
ここで、本発明において、前記接続対象物は配線基板であり、前記端子部はこの配線基板に半田付けされる半田付け部であることが好ましい。
【００１９】
また、本発明によれば、コンタクト群と前記コンタクト群を保持するインシュレータとを備えたコネクタにおいて、前記コンタクト群は、信号コンタクトと、グランドコンタクトとを備え、前記夫々のコンタクトは、相手側コンタクトと接続する接触部と、接続対象物と接続する端子部とを備え、前記夫々のコンタクトの端子部間と接触部間のピッチ間隔を同一に配置し、前記信号コンタクトの接触部をグランドコンタクトの接触部に対し、ピッチ方向と交差する方向にずらして配置したことを特徴とするコネクタが得られる。
【００２０】
ここで、本発明において、前記接続対象物は配線基板であり、前記端子部はこの配線基板に半田付けされる半田付け部であることが好ましい。
【００２１】
また、本発明によれば、前記コネクタは、プラグコネクタであり、前記コンタクト群の前記接触部は前記コネクタの嵌合方向に交差する方向であって、外側に接点を備えるように配置され、前記相手側コネクタはレセプタクルコネクタであり、前記相手側コンタクト群の接触部は、前記コネクタの嵌合方向に交差する方向であって、内側に接点を備え、前記接触部は、互いに前記交差方向に接触するように構成されていることを特徴とするコネクタが得られる。
【００２２】
また、本発明によれば、前記コネクタは、レセプタクルコネクタであり、前記コンタクト群の前記接触部は前記コネクタの嵌合方向に交差する方向であって、内側に接点を備えるように配置され、前記相手側コネクタはプラグコネクタであり、前記相手側コンタクト群の接触部は、前記コネクタの嵌合方向に交差する方向の外側に接点を備え、前記接触部は、互いに前記交差方向に接触するように構成されていることを特徴とするコネクタが得られる。
【発明の効果】
【００２３】
本発明によれば、高速伝送に使用するシグナルコンタクト又は対のシグナルコンタクトを各々（プラグ側、レセプタクル側）のコネクタ内で、コネクタ同士嵌合する部分（接触部及びスタブ部分）をピッチ方向や対向方向に距離を広げて狭くしたりするような変換を行うことによって、インピーダンスをコネクタ内でコントロールすることが可能になるコネクタを提供することができる。
【００２４】
また、本発明によれば、端子、例えば、半田付け部はシグナルコンタクトとグランドコンタクトと同一ピッチで狭ピッチ化が実現でき、電気を流さない端子も設けることなく、コネクタ自体も小さく安価なコネクタを提供することができる。
【発明を実施するための最良の形態】
【００２５】
以下、本発明の実施の形態について、図面を参照しながら説明する。
【００２６】
図１は本発明の第１の実施の形態によるプラグコネクタを示す斜視図、図２は図１のプラグコネクタに嵌合されるレセプタクルコネクタを示す斜視図、図３は図１のプラグコネクタと、図２のレセプタクルコネクタの嵌合状態を示す断面図である。図４は図３のコネクタ嵌合状態のコンタクトのみを示す斜視図である。図５は図１のコネクタのコンタクト部分を示す斜視図、図６は図５のコンタクトのピッチ変換部を示す部分平面図である。図７は図１のコネクタのコンタクト部分を示す斜視図、図８は図５のコンタクトのピッチ変換部を示す部分平面図である。
【００２７】
図１乃至図８を参照すると、プラグコネクタ１０１は、嵌合方向である第１の方向に垂直な第２の方向に長い長四角で四方を囲む壁部３とその嵌合方向一端側に設けられた底板６とを備え、中央に第２の方向に長い長四角の嵌合孔部５を備えた長箱型のインシュレータ１と、壁部３の内側の第１及び第２の方向に垂直な第３の方向に対向する第２の方向に長い対向面に夫々、コネクタの長さ方向である第２の方向に並んで設けられたプラグコンタクト１０と、長い壁部３の外側面に夫々対向するように設けられた２枚のプラグ側のシールドプレート２とを備えている。プラグコンタクト１０は、夫々細長い形状を備え、対向面に夫々設けられたプラグコンタクト１０の先端部が、互い外側方向である第３の方向に向かうように折れ曲がっている。この先端部から壁部の内側面３ｂに沿って底板６まで設けられた接触部１１と、この底板６うちで、直角に第３の方向に折れ曲がって外側に伸びる支持部１２と、インシュレータ１の底板６の外面からはみ出し、斜め下方に折れ曲がり更に、上方に折れ曲がって、第２の方向である底板面外方に沿って略同一面となるように延在する端子部１３とを備えている。また、シールドプレート２は、突出部２ａを備え、後述するレセプタクルコネクタのシールドプレートと、接触する。尚、符号４，７はモールドの際の抜き穴である。
【００２８】
レセプタクルコネクタ１０２は、嵌合方向である第１の方向（プラグコネクタと同様に第１の方向と呼ぶ）に垂直な第２の方向（プラグコネクタと同様に第２の方向と呼ぶ）に長い日字形状の箱型のインシュレータ５１を備えている。インシュレータ５１は、第２の方向に長い四角の外壁部５３と、第１及び第２の方向に夫々垂直な第３の方向（プラグコネクタと同様に第２の方向と呼ぶ）の中央に、第１の方向に沿って起立した断面Ｔ字形状の中央壁５４と、それらの第１の方向の一端側に設けられた底板５６とを備え、中央壁５４の両側に長四角の嵌合孔部５５を備えている。インシュレータ５１の中央壁５４の両側には、第２の方向に並んでレセプタクルコンタクト２０が夫々設けられている。長い壁部５３の内側面から上面を経て外側面渡って、断面逆Ｕ字形状のレセプタクル側のシールドプレート５２が設けられている。
【００２９】
レセプタクルコンタクト５０は、夫々細長い形状を備え、中央壁５４の両側に対向するとともに長さ方向である第２の方向に並ぶように夫々設けられたコンタクト１０の先端部が内側に折れ曲がって、く字形状を備えた接触部２１と、この接触部２１から中央壁５４に向かってＳ字形状を描くバネ部２２と、バネ部２２の基部から中央壁５４に沿って第１の方向に下降して延びる垂直支持部２３と、垂直支持部２３の下端から、外側に向かって折れ曲がり底板５６に設けられた溝に第３の方向に沿って延びる水平支持部２４と、水平支持部２４から底板５６よりも折れ曲がって露出し、水平方向の第３の方向に延びる端子部２５とを備えている。
【００３０】
また、シールドプレート５２は、外壁部５３の第３の方向に対向する外側面に設けられた外側部５２ａと、内側面に設けられた内側部５２ｂと、上面を覆い外側部５２ａと内側部５２ｂとを連絡する連絡部５２ｃとを備えた断面Ｕ字形状である。嵌合の際、このレセプタクルコネクタ１０２のシールドプレート５２の内側部５２ｂは、プラグコネクタ１０１のシールドプレート２の突出部２ａと接触する。
【００３１】
図４に示すように、プラグコネクタ１０１とレセプタクルコネクタ１０２との嵌合の際には、夫々のプラグコンタクト１０の接触部１１と、レセプタクルコネクタ１０２のレセプタクルコンタクト２０の接触部２１とが嵌合方向に垂直な方向に互いに接触して電気接続した状態となる。
【００３２】
図５及び図６を参照すると、プラグコンタクト１０が互いに幅方向に、対称的に２列配置されている。説明の便宜上、図示のプラグコンタクト１０において、順に１０ａ，１０ｂ・・・１０ｈの参照符号を付す。夫々のコンタクト１０ａ，１０ｂ・・・１０ｈは、接触部１１、支持部１２、及び半田付け端子部１３を備えている。互いに隣合うシグナルコンタクト１０ｃ，１０ｄ（Ｓ）は、差動伝送を対象とした場合、信号は一方がＳ＋となり、他方がＳ−となる。
【００３３】
即ち、シグナルコンタクト１０ｃ，１０ｄの接触部をグランドコンタクト１０ｂ，１０ｅの接触部１１に対してピッチ方向にピッチ寸法を変換することで、近づけたり、遠ざけたりしている。その際に、シグナルコンタクト１０ｃ，１ｄの接触部１１はグランドコンタクト１０ｂ，１０ｅに対してピッチ寸法を変更することで、近づけたり、遠ざけたりすることを示しており、この場合、グランドコンタクト及びシグナルコンタクトの端子部１３は同一の配置であり、互いに隣接するグランドコンタクト１０ｂ，１０ｅ（１０ｆ，１０ｇ）の接触部間のピッチ間隔が端子部間に対して広がる又は狭く成る構成を有している。
【００３４】
具体的に、本発明の第１の実施の形態によるプラグコンタクト１０は、支持部１２が、コンタクト１０ａ，１０ｄ，１０ｇに関しては、コンタクトのピッチ方向に垂直な方向である第３の方向に対して右側斜めに曲がり、コンタクト１０ｃ，１０ｆに関しては、第３の方向に対して左側斜めに曲がっている。これによって、各コンタクト１０の接触部１１間のピッチが変わり、シグナルコンタクト１０ａ，１０ｃ，１０ｄ，１０ｇ同士の接触部１１に関しては、互いに離れる方向にピッチが大きくなる。一方、シグナルコンタクト１０ａ，１０ｃ，１０ｄ，１０ｇの接触部１１に関してグランドコンタクト１０ｂ，１０ｅ，１０ｅに関しては、ピッチが狭まるように形成されたピッチ変換部１４を備えている。
【００３５】
これによって、インピーダンスを整合させることができる。
【００３６】
図７及び図８を参照すると、レセプタクルコンタクト２０が互いに幅方向に、対称的に２列配置されている。説明の便宜上、図示のレセプタクルコンタクト２０において、順に２０ａ，２０ｂ・・・２０ｈの参照符号を付す。夫々のコンタクトは、接触部２１、バネ部２２、垂直支持部２３、水平支持部２４、及び半田付け端子部２５を備えている。
【００３７】
即ち、シグナルコンタクト２０ｃ，２０ｄの接触部２１をグランドコンタクト２０ｂ，２０ｅの接触部に対してピッチ方向にピッチ寸法を変換することで、近づけたり、遠ざけたりしている。その際に接触部２１はグランドコンタクト２０ｂ，２０ｅに対してピッチ寸法を変更することで、近づけたり、遠ざけたりすることを示しており、この場合、グランドコンタクト及びシグナルコンタクトの端子部２５は同一の配置である。互いに隣接するグランドコンタクトの接触部２１間のピッチ間隔が端子部２５間に対して広がる又は狭く成る構成を有している。
【００３８】
具体的に、本発明の第１の実施の形態によるレセプタクルコンタクト２０は、支持部２０が、コンタクト２０ａ，２０ｄ，２０ｇに関しては、ピッチ方向に垂直な方向である第３の方向に対して右側斜めに曲がり、コンタクト２０ｃ，２０ｆに関しては、第３の方向に対して左側斜めに曲がっている。これによって、各コンタクト２０の接触部２１間のピッチが変わり、シグナルコンタクト２０ａ，２０ｃ，２０ｄ，２０ｇ同士の接触部１１に関しては、互いに離れる方向にピッチが大きくなる。一方、グランドコンタクト２０ｂ，２０ｅ，２０ｈは、第３の方向に双方向、即ち、真っ直ぐに形成されているので、シグナルコンタクト２０ａ，２０ｃ，２０ｄ，２０ｇの接触部２１は、グランドコンタクト２０ｂ，２０ｅ，２０ｈに対しては、ピッチが狭まるように形成されている。これによって、インピーダンスを整合させることができる。
【００３９】
次に、本発明の第２の実施の形態によるプラグコネクタ及びレセプタクルコネクタに関して説明する。第２の実施の形態によるコネクタは、第１の実施の形態によるものとは、プラグコンタクト及びレセプタクルコンタクトの形状が異なる他は同様の構成を有するので、各コンタクトについてのみ説明する。
【００４０】
図９は本発明の第２の実施の形態によるプラグコネクタのプラグコンタクトを示す部分斜視図、図１０は図９のプラグコンタクトの部分平面図である。図１１は本発明の第２の実施の形態によるレセプタクルコネクタのレセプタクルコンタクトを示す部分斜視図、図１２は図１１のレセプタクルコンタクトの部分平面図である。
【００４１】
図９及び図１０を参照すると、プラグコンタクト３０が、コネクタの嵌合方向である第１の方向に垂直なコネクタの長さ方向である第２の方向に並んで配置されている。説明の便宜上、図示のプラグコンタクト３０において、順に３０ｂ，３０ｃ，３０ｅ，３０ｄの参照符号を付す。夫々のコンタクトは、接触部１１、支持部１２、及び半田付け端子部１３を備えている。
【００４２】
即ち、シグナルコンタクト３０ｃ，３０ｄの接触部１１をグランドコンタクト３０ｂ，３０ｅの接触部１１に対してピッチ方向にピッチ寸法を変換することで、近づけたり、遠ざけたりしている。その際に接触部１１はグランドコンタクト３０ｂ，３０ｅに対してピッチ寸法を変更することで、近づけたり、遠ざけたりすることを示しており、この場合、半田付け部である端子部１３は同一の配置である。互いに隣接するグランドコンタクトの接触部間のピッチ間隔が端子部１３間に対して広がる又は狭く成る構成を有している。
【００４３】
本発明の第２の実施の形態によるプラグコンタクトは、支持部１２が、コンタクト３０ｃに関しては、コンタクトの延在方向であり、且つ第１及び第２の方向に垂直な第３の方向に対して右側斜めに曲がり、コンタクト３０ｄに関しては、第３の方向に対して左側斜めに曲がっている。これによって、各コンタクト３０の接触部１１間のピッチが変わり、シグナルコンタクト３０ｃ，３０ｄ同士の接触部１１に関しては、互いに接近する方向にピッチが小さくなり、一方、シグナルコンタクト３０ｃ，３０ｄの接触部１１に関してグランドコンタクト３０ｂ，３０ｅに関しては、ピッチが広がるように形成されたピッチ変換部１５を備えている。これによって、インピーダンスをコントロールし、整合させることができる。
【００４４】
図１１及び図１２を参照すると、レセプタクルコンタクト４０が、コネクタの嵌合方向である第１の方向に垂直な方向であり、且つコネクタの長さ方向である第２の方向に並んで配置されている。説明の便宜上、図示のレセプタクルコンタクト４０において、順に４０ｂ，４０ｃ，４０ｄ，４０ｅの参照符号を付す。夫々のコンタクトは、接触部２１、バネ部２２、垂直支持部２３、水平支持部２４、及び半田付け端子部２５を備えている。
【００４５】
レセプタクルコンタクト４０において、シグナルコンタクト４０ｃ，４０ｄの接触部２１をグランドコンタクト４０ｂ，４０ｄの接触部２１に対してピッチ方向にピッチ寸法を変換することで、近づけたり、遠ざけたりしている。その際に接触部２１はグランドコンタクト４０ｂ，４０ｅに対してピッチ寸法を変更することで、近づけたり、遠ざけたりすることを示しており、この場合、端子部は同一の配置である。互いに隣接するグランドコンタクト４０ｂ，４０ｅの接触部２１間のピッチ間隔が半田付け部である端子部２５間に対して広がる又は狭く成る構成を有している。
【００４６】
具体的に、本発明の第２の実施の形態によるレセプタクルコンタクト４０は、支持部２４が、コンタクト４０ｄに関しては、第１及び第２の方向に垂直な方向であり、コネクタの略延在方向である第３の方向に対して右側斜めに曲がり、コンタクト４０ｃに関しては、第３の方向に対して左側斜めに曲がっている。これによって、各コンタクト４０の接触部４１間のピッチが変わり、シグナルコンタクト４０ｃ，４０ｄ同士の接触部１１に関しては、互いに近接する方向にピッチが小さくなる。一方、グランドコンタクト４０ｂ，４０ｅは、第３の方向に沿って真っ直ぐに形成されているので、シグナルコンタクト４０ｃ，４０ｄの接触部２１は、グランドコンタクト４０ｂ，４０ｅに対しては、ピッチが広がるに形成されている。これによって、インピーダンスをコントロールし、整合させることができる。
【００４７】
次に、本発明の第３の実施の形態によるプラグコネクタ及びレセプタクルコネクタに関して説明する。第３の実施の形態によるコネクタは、第１及び第２の実施の形態によるものとは、プラグコンタクト及びレセプタクルコンタクトの形状が異なる他は同様の構成を有するので、第２の実施の形態と同様、各コンタクトについてのみ説明する。
【００４８】
図１３は本発明の第３の実施の形態によるプラグコネクタのプラグコンタクトを示す部分斜視図、図１４は図１３のプラグコンタクトの部分平面図である。図１５は本発明の第３の実施の形態によるレセプタクルコネクタのレセプタクルコンタクトを示す部分斜視図、図１６は図１５のレセプタクルコンタクトの部分平面図である。
【００４９】
図１３及び図１４を参照すると、プラグコンタクト６０がコネクタの嵌合方向である第１の方向に垂直な、コネクタの長さ方向である第２の方向に並んで配置されている。説明の便宜上、図示のプラグコンタクト６０において、順に６０ｂ，６０ｃ，６０ｅ，６０ｄの参照符号を付す。夫々のコンタクトは、接触部１１、支持部１２、及び半田付け端子部１３を備えている。
【００５０】
即ち、シグナルコンタクト６０ｃ，６０ｄの接触部１１をグランドコンタクト６０ｂ，６０ｅの接触部１１に対して、ピッチ方向にコンタクト幅を広げたり、細めたりすることで、遠ざけたり、近づけたりしている。このように、接触部１１を遠ざけたり、近づけたりしている構成としては、シグナルコンタクト６０ｃ，６０ｄ又はグランドコンタクト６０ｂ，６０ｅの幅を広げたり縮めたりしている。互いに隣接する接触部間のピッチ間が、端子部間のピッチ間隔に対して広げられたり狭まったりする構成である。
【００５１】
具体的に、本発明の第３の実施の形態によるプラグコンタクト６０は、接触部１１が、コンタクト６０ｃの接触部１１ｂに関しては、第１及び第２の方向に対して垂直な第３の方向において、右側が幅広くなるように偏心して形成され、コンタクト６０ｄの接触部１１ｃに関しては、第３の方向において、左側が幅が広くなるように偏心して形成されている。これによって、各コンタクト６０の接触部１１間のピッチが変わり、シグナルコンタクト６０ｃ，６０ｄ同士の接触部１１ｃ，１１ｄに関しては、互いに接近する方向にピッチが小さくなり、一方、シグナルコンタクト６０ｃ，６０ｄの接触部１１ｃ，１１ｄに関してグランドコンタクト６０ｂ，６０ｅの１１ａに対しては、ピッチが広がるように形成されたピッチ変換部１６を備えている。これによって、インピーダンスをコントロールし、整合させることができる。
【００５２】
図１５及び図１６を参照すると、レセプタクルコンタクト７０が嵌合方向である第１の方向に垂直な第２の方向に沿って且つ長さ方向に並んで配置されている。説明の便宜上、図示のレセプタクルコンタクト７０において、順に７０ｂ，７０ｃ，７０ｄ，７０ｅの参照符号を付す。夫々のコンタクトは、接触部２１、バネ部２２、垂直支持部２３、水平支持部２４、及び半田付け端子部２５を備えている。
【００５３】
即ち、シグナルコンタクト７０ｃ，７０ｄの接触部２１ｂ，２１ｃをグランドコンタクト７０ｂ，７０ｅの接触部２１ａ，２１ｄに対して、ピッチ方向にコンタクト幅を広げたり、細めたりすることで、遠ざけたり、近づけたりしている。このように、接触部２１ａ，２１ｂ，２１ｃ，２１ｄを遠ざけたり、近づけたりしている構成としては、シグナルコンタクト７０ｃ，７０ｄ又はグランドコンタクト７０ｂ，７０ｅの幅を広げたり縮めたりしている。互いに隣接する接触部２１ｃ，２１ｄ間のピッチ間が、半田付け部である端子部２５間のピッチ間隔に対して広げられたり狭まったりする構成である。
【００５４】
本発明の第３の実施の形態によるレセプタクルコンタクト７０は、接触部２１が、コンタクト７０ｃの接触部２１ｂに関しては、第１及び第２の方向に垂直な第３の方向において、右側の幅が広くなり、コンタクト７０ｄの接触部２１ｃに関しては、第３の方向において、左側の幅が広くなっている。これによって、各コンタクト７０の接触部２１間のピッチが変わり、シグナルコンタクト７０ｃ，７０ｄ同士の接触部２１ｃ，２１ｄに関しては、互いに近接する方向にピッチが小さくなる。一方、グランドコンタクト７０ｂ，７０ｅは偏心しないで形成されているので、シグナルコンタクト７０ｃ，７０ｄの接触部２１は、グランドコンタクト７０ｂ，７０ｅに対しては、ピッチが広がるように形成されている。これによって、インピーダンスをコントロールし、整合させることができる。
【００５５】
次に、本発明の第４の実施の形態によるプラグコネクタ及びレセプタクルコネクタに関して説明する。第４の実施の形態によるコネクタは、第１乃至第３の実施の形態によるものとは、プラグコンタクトの形状が異なる他は同様の構成を有するので、第２及び第３の実施の形態と同様、各プラグコンタクトについてのみ説明する。
【００５６】
図１７は本発明の第４の実施の形態によるプラグコネクタのプラグコンタクトを示す部分斜視図、図１８は図１７のプラグコンタクトの部分側面図である。
【００５７】
図１７及び図１８を参照すると、プラグコンタクト８０が嵌合方向である第１の方向に垂直な長さ方向である第２の方向に並んで配置されている。プラグコンタクト８０において、接触部１１のみ１１ｄ，１１ｅ，１１ｆ，１１ｄの参照符号を付す。夫々のコンタクト８０は、接触部１１、支持部１２、及び半田付け端子部１３を備えている。
【００５８】
シグナルコンタクト８０の接触部１１ｅ，１１ｆ又は１１ｄをグランドコンタクト８０の接触部１１ｄ，又は１１ｅ，１１ｆに対して、ピッチ方向と交差する方向にずらし、配置することで、近づけたり、遠ざけたりする構成である。
【００５９】
本発明の第４の実施の形態によるプラグコンタクト８０は、接触部１１ｅ，１１ｆがコンタクト８０の接触部１１ｄよりも、第１及び第２の方向に垂直な第３の方向における外側に位置するように形成されている。これによって、各コンタクト８０の接触部１１ｄと１１ｅ及び１１ｄと１１ｆとの間のピッチが変わり、シグナルコンタクト同士又はグランドコンタクト同士の接触部に関しては、互いに接近する方向にピッチが変わらず、一方、シグナルコンタクトとグランドコンタクトとの接触部１１ｄ，１１ｅ及び１１ｄ，１１ｆに関してピッチが広がるように形成されたピッチ変換部１７を備えている。これによって、インピーダンスをコントロールし、整合させることができる。
【００６０】
なお、変形例としては、信号コンタクトの接触部をグランドコンタクトの接触部に対して，ピッチ方向と交差する方向にコンタクトの板厚を厚くしたり薄くしたりすることによっても、本発明の第４の実施の形態のコネクタのコンタクトと同様の効果を得ることができる。
【００６１】
以上、説明したように、本発明の実施の形態によるコネクタでは、プリント配線基板に実装されるコンタクトに半田付け端子部を備えたコネクタの場合について述べたが、コンタクトがスルーホールに固定されるようなものであってもよく、また、実装されるプリント配線基板の代わりに、フレキシブル配線基板またはフレキシブルフラットケーブルであってもよく、また、電子機器の配線盤等に設けられるものであっても良いことは勿論である。
【００６２】
また、本発明の実施の形態によるコネクタでは、一方のコネクタ（コンタクトはバネ接触部の構成）の接続相手側は、コネクタではなく、プリント配線基板又はＦＰＣ等であっても良い。相手が基板あるいはコネクタの場合、直交する基板間を接続するように構成することも可能である。また、コンタクトの端子部は、基板へ半田付けするタイプであるが、端子部を圧着あるいは圧接する構造にして、ケーブルを接続しても良い。
【００６３】
また、本発明の実施の形態によるコネクタでは、相手側コネクタがプリント配線基板に電気信号が高周波となるような部位に使用された場合において、端子部、例えば、半田付け部のピッチを変えずに、コネクタ同士の接触部分のピッチを変換することによって、コネクタを大きくすることなくインピーダンスを整合させることができる。
【産業上の利用可能性】
【００６４】
以上の説明の通り、本発明に係るコネクタは、基板間の接続のために設けられる高周波を伝送するプラグコネクタ、ソケットコネクタのみならず、電子部品、電気部品等の高周波伝送のための接続に適用できる。
【図面の簡単な説明】
【００６５】
【図１】本発明の第１の実施の形態によるプラグコネクタを示す斜視図である。
【図２】図１のプラグコネクタに嵌合されるレセプタクルコネクタを示す斜視図である。
【図３】図１のプラグコネクタと、図２のレセプタクルコネクタの嵌合状態を示す断面図である。
【図４】図３のコネクタ嵌合状態のコンタクトのみを示す斜視図である。
【図５】図１のコネクタのコンタクト部分を示す斜視図である。
【図６】図５のコンタクトのピッチ変換部を示す部分平面図である。
【図７】図１のコネクタのコンタクト部分を示す斜視図である。
【図８】図５のコンタクトのピッチ変換部を示す部分平面図である。
【図９】本発明の第２の実施の形態によるプラグコネクタのプラグコンタクトを示す部分斜視図である。
【図１０】図９のプラグコンタクトの部分平面図である。
【図１１】本発明の第２の実施の形態によるレセプタクルコネクタのレセプタクルコンタクトを示す部分斜視図である。
【図１２】図１１のレセプタクルコンタクトの部分平面図である。
【図１３】本発明の第３の実施の形態によるプラグコネクタのプラグコンタクトを示す部分斜視図である。
【図１４】図１３のプラグコンタクトの部分平面図である。
【図１５】本発明の第３の実施の形態によるレセプタクルコネクタのレセプタクルコンタクトを示す部分斜視図である。
【図１６】図１５のレセプタクルコンタクトの部分平面図である。
【図１７】本発明の第４の実施の形態によるプラグコネクタのプラグコンタクトを示す部分斜視図である。
【図１８】図１７のプラグコンタクトの部分側面図である。
【符号の説明】
【００６６】
１    インシュレータ
２    シールドプレート
２ａ    突出部
３    壁部
３ｂ    内側面
４，７    抜き穴
５    嵌合孔部
６    底板
１０    プラグコンタクト
１１    接触部
１２    支持部
１３    半田付け端子部
１４    ピッチ変換部
１５    ピッチ変換部
２０    レセプタクルコンタクト
２１    接触部
２２    バネ部
２３    垂直支持部
２４    水平支持部
２５    半田付け端子部
３０    プラグコンタクト
４０    レセプタクルコンタクト
５０    レセプタクルコンタクト
５１    インシュレータ
５２    シールドプレート
５２ａ    外側部
５２ｂ    内側部
５２ｃ    連絡部
５３    外壁部
５４    中央壁
５５    嵌合孔部
５６    底板
６０，８０    プラグコンタクト
７０    レセプタクルコンタクト
１０１    プラグコネクタ
１０２    レセプタクルコネクタ
【図１】
2005149770.tif 000003
【図２】
2005149770.tif 000004
【図３】
2005149770.tif 000005
【図４】
2005149770.tif 000006
【図５】
2005149770.tif 000007
【図６】
2005149770.tif 000008
【図７】
2005149770.tif 000009
【図８】
2005149770.tif 000010
【図９】
2005149770.tif 000011
【図１０】
2005149770.tif 000012
【図１１】
2005149770.tif 000013
【図１２】
2005149770.tif 000014
【図１３】
2005149770.tif 000015
【図１４】
2005149770.tif 000016
【図１５】
2005149770.tif 000017
【図１６】
2005149770.tif 000018
【図１７】
2005149770.tif 000019
【図１８】
2005149770.tif 000020